(57)【要約】【課題】より簡単な操作で情報を入力できるようにする。【解決手段】ＥＣ端末装置４１は、商品を購入するためにユーザの個人情報を入力する個人情報入力画面を表示する。携帯端末装置４３がＥＣ端末装置４１から所定の距離内に接近されると、ＥＣ端末装置４１と携帯端末装置４３とは通信を開始する。携帯端末装置４３は、ユーザの操作に応じて個人情報入力画面に入力される個人情報を取得し、無線通信によりＥＣ端末装置４１に送信する。ＥＣ端末装置４１は携帯端末装置４３から送信されてきた個人情報を受信し、個人情報入力画面に挿入する。本発明は、テレビジョン受像機などに適用することができる。【選択図】図２
2007311949.tif 000002
【特許請求の範囲】
【請求項１】
所定の情報が入力される入力欄が設けられている入力画面を表示する表示手段と、
自分自身から所定の距離内に接近した携帯端末装置に、前記入力欄に入力される情報を前記携帯端末装置において入力するためのフォームデータ、または前記フォームデータを取得するための情報を無線通信により送信し、前記携帯端末装置から無線通信により送信されてきた、前記フォームデータを用いて入力された前記入力欄に入力される情報を受信する通信手段と、
受信された前記入力欄に入力される情報を前記入力欄に入力する入力手段と
を備える表示装置。
【請求項２】
前記通信手段は、前記入力画面に設けられている複数の前記入力欄のうちのいくつかの入力欄に入力される情報を受信する
請求項１に記載の表示装置。
【請求項３】
前記通信手段は、電子商取引により所定の商品を購入する購入者の氏名、住所、若しくは電話番号、または前記商品の配達先を、前記入力欄に入力される情報として受信する
請求項１に記載の表示装置。
【請求項４】
前記通信手段は、NFC（Near Field Communication）方式により前記フォームデータ、前記フォームデータを取得するための情報、または前記入力欄に入力される情報の送受信を行う
請求項１に記載の表示装置。
【請求項５】
前記フォームデータを記録する記録手段をさらに備える
請求項１に記載の表示装置。
【請求項６】
前記通信手段は、アドレス帳に登録されている情報として前記携帯端末装置に記録されている情報を、前記入力欄に入力される情報として受信する
請求項１に記載の表示装置。
【請求項７】
所定の画像を表示する表示装置の表示方法において、
所定の情報が入力される入力欄が設けられている入力画面の表示を制御し、
自分自身から所定の距離内に接近した携帯端末装置への、前記入力欄に入力される情報を前記携帯端末装置において入力するためのフォームデータ、または前記フォームデータを取得するための情報の無線通信による送信を制御し、前記携帯端末装置から無線通信により送信されてきた、前記フォームデータを用いて入力された前記入力欄に入力される情報の受信を制御し、
受信された前記入力欄に入力される情報を前記入力欄に入力する
ステップを含む表示方法。
【請求項８】
所定の画像を表示する表示装置のコンピュータに実行させるプログラムにおいて、
所定の情報が入力される入力欄が設けられている入力画面の表示を制御し、
前記表示装置から所定の距離内に接近した携帯端末装置への、前記入力欄に入力される情報を前記携帯端末装置において入力するためのフォームデータ、または前記フォームデータを取得するための情報の無線通信による送信を制御し、前記携帯端末装置から無線通信により送信されてきた、前記フォームデータを用いて入力された前記入力欄に入力される情報の受信を制御し、
受信された前記入力欄に入力される情報を前記入力欄に入力する
ステップを含むプログラム。
【発明の詳細な説明】
【技術分野】
【０００１】
本発明は表示装置および方法、並びにプログラムに関し、特に、より簡単な操作で所定の情報を入力できるようにした表示装置および方法、並びにプログラムに関する。
【背景技術】
【０００２】
近年、インターネットなどの通信網を利用して、商品売買の契約や決済などを行う電子商取引が普及してきている。従来の電子商取引システムは、図１に示すようにネットワーク対応のテレビジョン受像機からなるＥＣ（Electronic Commerce）端末装置１１と、サービスを提供するＥＣサーバ１２とから構成される。
【０００３】
ＥＣ端末装置１１とＥＣサーバ１２とは通信網１３を介して互いに接続されており、消費者であるユーザは、リモートコントローラ１４を操作することによりＥＣ端末装置１１を遠隔操作する。ユーザが所定の商品を購入しようとする場合、ＥＣ端末装置１１は、ユーザによるリモートコントローラ１４の操作に応じてＥＣサーバ１２にアクセスし、ＥＣサービス画面を表示する。
【０００４】
このＥＣサービス画面には商品の画像や価格などが表示され、ユーザはリモートコントローラ１４を操作して、表示されている商品から所望する商品を選択する。購入する商品が選択されると、ＥＣ端末装置１１には、購入者の氏名、住所、電話番号、商品の配達先などの個人情報を入力するための個人情報入力画面が表示される。
【０００５】
ユーザがリモートコントローラ１４を操作して個人情報を入力すると、その個人情報がＥＣ端末装置１１から通信網１３を介してＥＣサーバ１２に送信される。このようにして送信された個人情報がＥＣサーバ１２において受信されると、ＥＣサーバ１２の管理者は、ユーザにより指定された商品の配達先に購入された商品を配送する。
【０００６】
また、電子商取引システムには、ユーザが、リモートコントローラを操作することにより、商品の配送先の電話番号を入力してユーザ端末装置からサービスを提供するサーバに電話番号を送信させ、サーバが受信した配送先の電話番号に基づいて、その電話番号から特定される電話会社の管理センターから個人情報を得ているものもある（例えば、特許文献１参照）。
【０００７】
この電子商取引システムにおいては、サーバが受信された電話番号に基づいて個人情報を取得するので、ユーザはリモートコントローラを操作して電話番号を入力するという簡単な操作で商品を購入することができる。
【０００８】
【特許文献１】特開２００２−６３４２７号公報
【発明の開示】
【発明が解決しようとする課題】
【０００９】
しかしながら、上述した技術では、ユーザは個人情報を入力するために煩雑な操作を行わなければならなかった。
【００１０】
すなわち、ユーザがリモートコントローラを操作して個人情報を入力する場合、ユーザは、リモートコントローラにより遠隔操作するＥＣ端末装置にソフトウェアによるキーボード（以下、ソフトウェアキーボードと称する）を表示させ、そのソフトウェアキーボードを利用して個人情報を入力することが多い。
【００１１】
そのような場合、ユーザは、リモートコントローラに設けられた十字ボタンを操作してソフトウェアキーボード上のキーを選択し、文字または数字を一文字ずつ入力したり、かな漢字変換を行ったりしなければならなかった。
【００１２】
また、ソフトウェアキーボードではなく、ＥＣ端末装置にキーボードを接続して個人情報を入力することもできるが、そのようなキーボードは個人情報を入力するとき以外には頻繁に利用される訳ではないので、ユーザはキーボードを使用しないときには邪魔にならない場所に片付けておかなければならない。
【００１３】
このように、一般のユーザには、ソフトウェアキーボードを利用して個人情報を入力するためにリモートコントローラを操作したり、個人情報を入力するときにだけいちいちキーボードを接続して操作したりすることは苦痛であった。そのため、ユーザが電子商取引による商品の購入を希望しても、面倒な操作のために実際の商品購入の機会が損なわれてしまう恐れがあった。
【００１４】
さらに、サーバが受信した配送先の電話番号に基づいて、電話会社の管理センターから個人情報を得る方法においては、管理センターに個人情報を検索するためのサーバを設けなければならず、各ユーザからも個人情報を電子商取引のために使用することの許諾を得る必要があるため実現は困難であった。
【００１５】
本発明は、このような状況に鑑みてなされたものであり、より簡単な操作でユーザが所定の情報の入力を行うことができるようにするものである。
【課題を解決するための手段】
【００１６】
本発明の一側面の表示装置は、所定の情報が入力される入力欄が設けられている入力画面を表示する表示手段と、自分自身から所定の距離内に接近した携帯端末装置に、前記入力欄に入力される情報を前記携帯端末装置において入力するためのフォームデータ、または前記フォームデータを取得するための情報を無線通信により送信し、前記携帯端末装置から無線通信により送信されてきた、前記フォームデータを用いて入力された前記入力欄に入力される情報を受信する通信手段と、受信された前記入力欄に入力される情報を前記入力欄に入力する入力手段とを備える。
【００１７】
前記通信手段には、前記入力画面に設けられている複数の前記入力欄のうちのいくつかの入力欄に入力される情報を受信させることができる。
【００１８】
前記通信手段には、電子商取引により所定の商品を購入する購入者の氏名、住所、若しくは電話番号、または前記商品の配達先を、前記入力欄に入力される情報として受信させることができる。
【００１９】
前記通信手段には、NFC（Near Field Communication）方式により前記フォームデータ、前記フォームデータを取得するための情報、または前記入力欄に入力される情報の送受信を行わせることができる。
【００２０】
前記表示装置には、前記フォームデータを記録する記録手段をさらに設けることができる。
【００２１】
前記通信手段には、アドレス帳に登録されている情報として前記携帯端末装置に記録されている情報を、前記入力欄に入力される情報として受信させることができる。
【００２２】
本発明の一側面の表示装置の表示方法またはプログラムは、所定の情報が入力される入力欄が設けられている入力画面の表示を制御し、表示装置から所定の距離内に接近した携帯端末装置への、前記入力欄に入力される情報を前記携帯端末装置において入力するためのフォームデータ、または前記フォームデータを取得するための情報の無線通信による送信を制御し、前記携帯端末装置から無線通信により送信されてきた、前記フォームデータを用いて入力された前記入力欄に入力される情報の受信を制御し、受信された前記入力欄に入力される情報を前記入力欄に入力するステップを含む。
【００２３】
本発明の一側面においては、所定の情報が入力される入力欄が設けられている入力画面が表示され、自分自身から所定の距離内に接近した携帯端末装置に、前記入力欄に入力される情報を前記携帯端末装置において入力するためのフォームデータ、または前記フォームデータを取得するための情報が無線通信により送信され、前記携帯端末装置から無線通信により送信されてきた、前記フォームデータを用いて入力された前記入力欄に入力される情報が受信され、受信された前記入力欄に入力される情報が前記入力欄に入力される。
【発明の効果】
【００２４】
本発明の一側面によれば、情報を入力することができる。特に、本発明の一側面によれば、より簡単な操作でユーザが所望する情報を入力することができる。
【発明を実施するための最良の形態】
【００２５】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２６】
本発明の一側面の表示装置は、所定の情報が入力される入力欄が設けられている入力画面を表示する表示手段（例えば、図３の表示パネル７１）と、自分自身から所定の距離内に接近した携帯端末装置に、前記入力欄に入力される情報を前記携帯端末装置において入力するためのフォームデータ、または前記フォームデータを取得するための情報を無線通信により送信し、前記携帯端末装置から無線通信により送信されてきた、前記フォームデータを用いて入力された前記入力欄に入力される情報を受信する通信手段（例えば、図３のアンテナ８３）と、受信された前記入力欄に入力される情報を前記入力欄に入力する入力手段（例えば、図３の制御部７８）とを備える。
【００２７】
前記表示装置には、前記フォームデータを記録する記録手段（例えば、図３のフラッシュメモリ７７）をさらに設けることができる。
【００２８】
前記通信手段には、アドレス帳に登録されている情報として前記携帯端末装置に記録されている情報を、前記入力欄に入力される情報として受信させる（例えば、図８のステップＳ５９の処理）ことができる。
【００２９】
本発明の一側面の表示装置の表示方法またはプログラムは、所定の情報が入力される入力欄が設けられている入力画面の表示を制御し（例えば、図５のステップＳ１７）、自分自身から所定の距離内に接近した携帯端末装置への、前記入力欄に入力される情報を前記携帯端末装置において入力するためのフォームデータ、または前記フォームデータを取得するための情報の無線通信による送信を制御し（例えば、図８のステップＳ５６またはステップＳ５７）、前記携帯端末装置から無線通信により送信されてきた、前記フォームデータを用いて入力された前記入力欄に入力される情報の受信を制御し（例えば、図８のステップＳ５９）、受信された前記入力欄に入力される情報を前記入力欄に入力する（例えば、図５のステップＳ１９）ステップを含む。
【００３０】
以下、図面を参照して本発明を適用した実施の形態について説明する。
【００３１】
図２は、本発明を適用した電子商取引システムの一実施の形態の構成例を示している。この電子商取引システムは、ＥＣ端末装置４１、ＥＣサーバ４２、および携帯端末装置４３から構成される。
【００３２】
この電子商取引システムにおいては、ＥＣ端末装置４１とＥＣサーバ４２とは、例えばインターネットなどからなる通信網４４を介して相互に接続されており、通信網４４には、例えば携帯電話機などの電話網からなる移動体通信網４５が接続されている。また、ＥＣ端末装置４１およびＥＣサーバ４２は、通信網４４および移動体通信網４５を介して携帯端末装置４３に接続されている。
【００３３】
ＥＣ端末装置４１は、テレビジョン受像機、電子商取引に用いられる携帯型の専用装置などから構成され、ユーザがリモートコントローラ４６により遠隔操作することができるようになされている。
【００３４】
ＥＣ端末装置４１は、ユーザによるリモートコントローラ４６の操作に応じて、ＥＣサーバ４２にアクセスし、商品の画像や価格を表示するＥＣ画面を受信して表示したり、ユーザが商品を購入するときに入力された、ユーザの氏名、住所、電話番号、商品の配達先などの個人情報を通信網４４を介してＥＣサーバ４２に送信したりする。
【００３５】
携帯端末装置４３は、例えば、携帯電話機、携帯型のゲーム機などから構成され、移動体通信網４５を介して他の携帯端末装置と通信する。また、携帯端末装置４３は、例えば非接触型ＩＣカードの送受信機能により、すなわちNFC（Near Field Communication）などの方式により、ＥＣ端末装置４１とデータの送受信を行う。
【００３６】
例えば、ユーザが電子商取引により所望する商品を購入する場合、ユーザはリモートコントローラ４６を操作して個人情報を入力することもできるが、ユーザが所有する携帯端末装置４３を用いても個人情報を入力することができる。
【００３７】
そのような場合、ユーザは携帯端末装置４３をＥＣ端末装置４１に近づけて携帯端末装置４３とＥＣ端末装置４１との通信を確立させ、携帯端末装置４３にＥＣ端末装置４１からの入力フォームを受信させて表示させる。なお、入力フォームの詳細は後述するが、入力フォームとは、個人情報を携帯端末装置４３において入力するときに表示される入力画面をいう。
【００３８】
携帯端末装置４３は、入力フォームを表示すると、ユーザの操作に応じて入力された個人情報を取得し、ＥＣ端末装置４１に送信する。そして、ＥＣ端末装置４１は、携帯端末装置４３から受信した個人情報と、ユーザによるリモートコントローラ４６の操作により入力された個人情報とをＥＣサーバ４２に送信する。
【００３９】
例えば、携帯端末装置４３が携帯電話機により構成されている場合には、ユーザは携帯端末装置４３に設けられたボタンを操作するとこで、個人情報を簡単に入力することができる。また、携帯端末装置４３がタッチペンを利用した文字入力機能を有するゲーム機により構成されている場合には、ユーザは、タッチペンを用いて簡単に個人情報を入力することができる。
【００４０】
ＥＣサーバ４２は、ＥＣ端末装置４１から送信されてきた個人情報を受信すると、受信した個人情報に応じて商品の決済などの処理を行う。また、ＥＣサーバ４２の管理者は、受信された個人情報に基づいて、ユーザにより購入された商品を配達先に発送する。なお、ユーザにより購入された商品が画像などのデータである場合には、購入された商品としてのデータが、通信網４４を介してＥＣサーバ４２からＥＣ端末装置４１に送信される。
【００４１】
図３は、図２のＥＣ端末装置４１の構成例を示すブロック図である。
【００４２】
ＥＣ端末装置４１は、地上アナログ放送受信用のアンテナからの信号が入力されるアンテナ入力端子６１と、デジタル放送（地上デジタル放送、BS（Broadcasting Satellite）／CS（Communication Satellite）デジタル放送）受信用のアンテナからの信号が入力されるアンテナ入力端子６２を有している。なお、アンテナ入力端子６１およびアンテナ入力端子６２のうちのいずれか一方の端子だけが設けられるようにしてもよい。
【００４３】
地上波チューナ６３は、アンテナ入力端子６１に入力された放送波信号を受信、復調し、ベースバンド信号である映像信号および音声信号を取得する。地上波チューナ６３は、取得した音声信号を音声A/D(Analog/Digital)変換回路６４に出力し、映像信号をビデオデコーダ６５に出力する。
【００４４】
音声A/D変換回路６４は、地上波チューナ６３から供給された音声信号に対してA/D変換処理を施し、得られた音声データを音声信号処理回路７２に出力する。
【００４５】
ビデオデコーダ６５は、地上波チューナ６３から供給された映像信号に対してデコード処理を施し、得られたデジタルコンポーネント信号である映像データを映像信号処理回路６８に出力する。
【００４６】
デジタルチューナ６６は、アンテナ入力端子６２に入力された放送波信号を受信、復調し、MPEG-TS(Moving Picture Experts Group-Transport Stream)を取得する。デジタルチューナ６６は、取得したMPEG-TSをMPEGデコーダ６７に出力する。
【００４７】
MPEGデコーダ６７は、デジタルチューナ６６から供給されたMPEG-TSに施されているスクランブルを解除し、再生対象になっている番組のデータを含むストリームを抽出する。MPEGデコーダ６７は、抽出したストリームを構成する音声パケットをデコードし、得られた音声データを音声信号処理回路７２に出力するとともに、ストリームを構成する映像パケットをデコードし、得られたデジタルコンポーネント信号である映像データを映像信号処理回路６８に出力する。
【００４８】
映像信号処理回路６８は、ビデオデコーダ６５から供給された映像データに対して、あるいはMPEGデコーダ６７から供給された映像データに対してノイズ除去などの所定の処理を施し、得られた映像データをグラフィック生成回路６９に出力する。
【００４９】
グラフィック生成回路６９は、表示パネル７１に表示させる番組の映像データを生成し、生成した映像データをパネル駆動回路７０に出力する。また、グラフィック生成回路６９は、項目の選択などにユーザにより利用される画面を表示するための映像データ（グラフィック）を生成し、それを番組の映像データに重畳したりすることによって得られた映像データをパネル駆動回路７０に出力する。
【００５０】
パネル駆動回路７０は、グラフィック生成回路６９から供給されたデータに基づいて表示パネル７１を駆動し、番組の映像や上述した各種の画面を表示パネル７１に表示させる。表示パネル７１はLCD(Liquid Crystal Display)などよりなり、パネル駆動回路７０による制御にしたがって番組の映像などを表示する。
【００５１】
音声信号処理回路７２は、音声A/D変換回路６４から供給された音声データに対して、あるいはMPEGデコーダ６７から供給された音声データに対してノイズ除去などの所定の処理を施し、得られた音声データを音声増幅回路７３に出力する。
【００５２】
音声増幅回路７３は、音声信号処理回路７２から供給された音声データに対してD/A変換処理、増幅処理を施し、所定の音量に調整した後スピーカ７４に供給する。スピーカ７４は、音声増幅回路７３から供給された音声データに基づいて音声を出力する。
【００５３】
内部バス７５には、グラフィック生成回路６９、SDRAM(Synchronous Dynamic Random Access Memory)７６、フラッシュメモリ７７、制御部７８、およびインターフェース回路７９が接続されている。
【００５４】
SDRAM７６は、制御部７８が処理を行う上で必要な各種のデータを記憶する。フラッシュメモリ７７は、制御部７８により実行されるプログラムや各種のデータを記録する。また、フラッシュメモリ７７には、通信網４４を介してＥＣサーバ４２から取得されたデータなども記録される。
【００５５】
制御部７８は、例えばCPU（Central Processing Unit）などから構成され、フラッシュメモリ７７に記録されているプログラムを実行し、受光部８０から供給される制御コードなどに応じてＥＣ端末装置４１の全体の動作を制御する。
【００５６】
受光部８０は、リモートコントローラ４６からの赤外線を受光し、復調して得られたユーザによる操作の内容を表す制御コードを制御部７８に供給する。インターフェース回路７９は、ネットワーク端子８１に装着されたケーブルを介して通信網４４に接続し、通信網４４に接続される各種の装置とデータの送受信を行う。
【００５７】
また、制御部７８には、リーダライタ部８２が接続されている。リーダライタ部８２は、ＥＣ端末装置４１と携帯端末装置４３との非接触での無線通信を制御する。すなわち、リーダライタ部８２は、制御部７８から供給されたデータに符号化処理、変調処理などの所定の処理を施し、これにより得られたデータをアンテナ８３を介して携帯端末装置４３に送信する。また、リーダライタ部８２は、携帯端末装置４３から送信されてアンテナ８３において受信されたデータに対して、復調処理、復号処理などの処理を施し、これにより得られたデータを制御部７８に供給する。
【００５８】
図４は、携帯端末装置４３の構成例を示すブロック図である。
【００５９】
携帯端末装置４３は、制御部１２１、入力部１２２、データ蓄積部１２３、表示部１２４、リーダライタ部１２５、アンテナ１２６、非接触型ＩＣ（Integrated Circuit）チップ１２７、送受信部１２８、およびアンテナ１２９から構成される。
【００６０】
制御部１２１は、例えばCPUなどから構成され、携帯端末装置４３の全体を制御する。制御部１２１には、入力部１２２、データ蓄積部１２３、表示部１２４、リーダライタ部１２５、および送受信部１２８が接続されている。入力部１２２は、ボタンなどから構成され、ユーザの操作に応じた信号を制御部１２１に供給する。データ蓄積部１２３は、不揮発性の記録媒体から構成され、アドレス帳に登録されたユーザやユーザの友人の氏名、住所、電話番号などの情報、および各種のデータを記録する。
【００６１】
表示部１２４は、例えばLCDなどから構成され、制御部１２１から供給された画像を表示する。リーダライタ部１２５は、携帯端末装置４３とＥＣ端末装置４１との非接触での無線通信を制御する。すなわち、リーダライタ部１２５は、制御部１２１から供給されたデータに符号化処理、変調処理などの所定の処理を施し、これにより得られたデータをアンテナ１２６を介してＥＣ端末装置４１に送信する。また、リーダライタ部１２５は、ＥＣ端末装置４１から送信され、アンテナ１２６において受信されたデータに対して、復調処理、復号処理などの処理を施し、これにより得られたデータを制御部１２１に供給する。
【００６２】
さらに、リーダライタ部１２５は、有線または無線により非接触型ＩＣチップ１２７と通信し、非接触型ＩＣチップ１２７に記録されているデータを読み出したり、非接触型ＩＣチップ１２７にデータを書き込んだりする。
【００６３】
非接触型ＩＣチップ１２７は、例えば電子マネーに関するデータなどの所定のデータを記録し、リーダライタ部１２５と有線または無線により通信する。また、非接触型ＩＣチップ１２７は、携帯端末装置４３に接近するように配置された他の装置と非接触での通信を行う。
【００６４】
送受信部１２８は、アンテナ１２９を介して、移動体通信網４５に接続されている他の携帯端末装置や、移動体通信網４５および通信網４４を介して接続されているＥＣ端末装置４１、ＥＣサーバ４２などの装置とデータの送受信を行う。
【００６５】
ところで、ＥＣ端末装置４１の所有者であるユーザが、電子商取引により商品を購入しようとする場合、ユーザはリモートコントローラ４６を操作して、商品の購入を行うためのＥＣ画面の表示を指示する。すると、リモートコントローラ４６からＥＣ端末装置４１には、ユーザの操作に応じた赤外線の信号が送信される。受光部８０は、リモートコントローラ４６からの赤外線の信号を受光し、復調して得られた制御コードを制御部７８に供給する。
【００６６】
受光部８０から制御部７８にユーザのリモートコントローラ４６の操作に応じた制御コードが供給されると、ＥＣ端末装置４１はユーザの所望する商品を購入する処理である購入処理を開始する。
【００６７】
以下、図５のフローチャートを参照して、ＥＣ端末装置４１による購入処理について説明する。
【００６８】
ステップＳ１１において、制御部７８は、受光部８０から供給された制御コードに基づいて、ＥＣ画面の表示が指示されたか否かを判定する。
【００６９】
ステップＳ１１において、ＥＣ画面の表示が指示されていないと判定された場合、ＥＣ端末装置４１は、通信網４４を介して接続されている他の装置からダウンロードすべきソフトウェアがあるか否かを判定する。ダウンロードするソフトウェアがあると判定された場合、ＥＣ端末装置４１はそのソフトウェアのダウンロードに関する情報を記憶する。そして、ソフトウェアのダウンロードに関する情報が記憶されるか、ダウンロードするソフトウェアがないと判定されると購入処理は終了する。
【００７０】
これに対して、ステップＳ１１において、ＥＣ画面の表示が指示されたと判定された場合、ステップＳ１２に進み、インターフェース回路７９は、制御部７８の制御のもと、ネットワーク端子８１および通信網４４を介してＥＣサーバ４２にアクセスし、ＥＣサーバ４２から商品の画像や価格を表示するＥＣ画面を受信する。インターフェース回路７９はＥＣ画面を受信すると、受信したＥＣ画面をグラフィック生成回路６９およびパネル駆動回路７０を介して表示パネル７１に供給する。
【００７１】
ステップＳ１３において、表示パネル７１は、インターフェース回路７９から供給されたＥＣ画面を表示する。
【００７２】
ステップＳ１４において、制御部７８は、ユーザによりＥＣ画面の表示の消去が指示されたか否かを判定する。例えば、受光部８０がＥＣ画面の表示の消去を指示する赤外線の信号をリモートコントローラ４６から受光し、復調して得られた制御コードが制御部７８に供給されると、制御部７８はＥＣ画面の表示の消去が指示されたと判定する。
【００７３】
ステップＳ１４においてＥＣ画面の表示の消去が指示されたと判定された場合、表示パネル７１は表示しているＥＣ画面の表示を消去し、購入処理は終了する。
【００７４】
一方、ステップＳ１４において、ＥＣ画面の表示の消去が指示されていないと判定された場合、ステップＳ１５に進み、制御部７８は、商品を購入するためにＥＣサーバ４２に送信する個人情報を入力する画面である個人情報入力画面の表示が指示されたか否かを判定する。
【００７５】
例えば、ユーザがＥＣ画面に表示されている商品から所望する商品を選択し、その商品の購入を決定するようにリモートコントローラ４６を操作すると、リモートコントローラ４６からＥＣ端末装置４１には、個人情報入力画面の表示を指示する赤外線の信号が送信される。受光部８０が個人情報入力画面の表示を指示する赤外線の信号をリモートコントローラ４６から受光し、復調して得られた制御コードが制御部７８に供給されると、制御部７８は個人情報入力画面の表示が指示されたと判定する。
【００７６】
ステップＳ１５において、個人情報入力画面の表示が指示されていないと判定された場合、処理はステップＳ１４に戻り、上述した処理が繰り返される。
【００７７】
これに対してステップＳ１５において、個人情報入力画面の表示が指示されたと判定された場合、ステップＳ１６に進み、インターフェース回路７９は、制御部７８の制御のもと、ＥＣサーバ４２に個人情報入力画面の送信を要求し、その要求に応じて通信網４４を介してＥＣサーバ４２から送信されてくる個人情報入力画面を受信する。インターフェース回路７９は個人情報入力画面を受信すると、受信した個人情報入力画面をグラフィック生成回路６９およびパネル駆動回路７０を介して表示パネル７１に供給する。
【００７８】
ステップＳ１７において、表示パネル７１は、インターフェース回路７９から供給された個人情報入力画面を表示する。これにより表示パネル７１には、例えば図６に示す個人情報入力画面が表示される。
【００７９】
図６に示す個人情報入力画面には、その画面の図中左側に、入力する個人情報を示す文字“メールアドレス”、“氏名（漢字）”、“氏名（フリガナ）”、“郵便番号”、“都道府県”、“郡市区”、“町村番地（部屋番号）”、および“電話番号”が表示されている。そして、それらの文字の右側には、その文字により示される個人情報を入力する入力欄が設けられている。
【００８０】
より具体的には、文字“メールアドレス”の右側には、個人情報としてのユーザの電子メールのアドレスを入力する入力欄１５１−１および入力欄１５１−２が設けられている。ここで、入力欄１５１−２は、その入力欄１５１−２の上側に表示された文字“確認のためもう一度、入力して下さい”により示されるように、ユーザがもう一度電子メールのアドレスを入力して、ユーザにより入力欄１５１−１に電子メールのアドレスが正しく入力されたかを確認するために設けられている。なお、以下、入力欄１５１−１および入力欄１５１−２を個々に区別する必要のない場合、単に入力欄１５１と称する。
【００８１】
文字“氏名（漢字）”の右側には、個人情報としてのユーザの姓を漢字で入力する入力欄１５２−１と、ユーザの名を漢字で入力する入力欄１５２−２が設けられている。また、文字“氏名（フリガナ）”の右側には、個人情報としてのユーザの姓をかたかなで入力する入力欄１５３−１と、ユーザの名をかたかなで入力する入力欄１５３−２が設けられている。以下、入力欄１５２−１および入力欄１５２−２を個々に区別する必要のない場合、単に入力欄１５２と称し、同様に以下、入力欄１５３−１および入力欄１５３−２を個々に区別する必要のない場合、単に入力欄１５３と称する。
【００８２】
また、文字“郵便番号”の右側には、個人情報としてのユーザの住所の郵便番号を入力する入力欄１５４が設けられており、文字“都道府県”の右側には、個人情報としてのユーザの住所の都道府県を入力する入力欄１５５が設けられている。ここで、入力欄１５５は、いわゆるプルダウンメニューとされており、ユーザはこの入力欄１５５を操作してメニューとして表示される都道府県の中から所定の地域を選択することによって、都道府県を入力することができる。
【００８３】
さらに、文字“郡市区”の右側には、個人情報としてのユーザの住所の郡、市、区などを入力する入力欄１５６が設けられており、文字“町村番地（部屋番号）”の右側には、個人情報としてのユーザの住所の町、村、番地などを入力する入力欄１５７が設けられており、文字“電話番号”の右側には、個人情報としてのユーザの電話番号を入力する入力欄１５８−１乃至入力欄１５８−３が設けられている。なお、以下、入力欄１５８−１乃至入力欄１５８−３のそれぞれを個々に区別する必要のない場合、単に入力欄１５８と称する。
【００８４】
ユーザは、リモートコントローラ４６または携帯端末装置４３を操作して、これらの入力欄１５１乃至入力欄１５８のそれぞれに対応する個人情報を入力する。
【００８５】
図５のフローチャートの説明に戻り、個人情報入力画面が表示されるとステップＳ１８において、ＥＣ端末装置４１は個人情報受信処理を行う。なお、個人情報受信処理の詳細は後述するが、この個人情報受信処理において、ＥＣ端末装置４１は、ユーザがリモートコントローラ４６を操作することにより入力された個人情報を取得するか、またはユーザが携帯端末装置４３を操作することにより入力された個人情報を取得する。
【００８６】
ステップＳ１９において、制御部７８は、ステップＳ１８の処理において取得した個人情報を個人情報入力画面に挿入する。すなわち、制御部７８は、取得した個人情報を表示パネル７１に表示されている個人情報入力画面の入力欄に入力する。
【００８７】
より具体的には、制御部７８は、取得した個人情報をグラフィック生成回路６９およびパネル駆動回路７０を介して表示パネル７１に供給し、個人情報入力画面の対応する入力欄に表示させる。これにより、表示パネル７１には、例えば図７に示す個人情報入力画面が表示される。なお、図７において図６における場合と対応する部分には同一の符号を付してある。
【００８８】
図７に示す個人情報入力画面には、入力欄１５１乃至入力欄１５８のそれぞれには、ユーザの操作に応じて入力された個人情報が表示されている。
【００８９】
すなわち、入力欄１５１−１および入力欄１５１−２には、個人情報としてのユーザの電子メールのアドレスを示す文字“hiroshi@xyz.com”が表示されている。また、入力欄１５２−１および入力欄１５２−２のそれぞれには、個人情報としてのユーザの姓を示す文字“日本”およびユーザの名を示す文字“太郎”が表示され、入力欄１５３−１および入力欄１５３−２のそれぞれには、個人情報としてのユーザの姓を示す文字“ニッポン”およびユーザの名を示す文字“タロウ”が表示されている。
【００９０】
同様に、入力欄１５４には個人情報としてのユーザの住所の郵便番号を示す文字“1234567”が表示されており、入力欄１５５には個人情報としてのユーザの住所の都、道、府、または県を示す文字“神奈川県”が表示されている。
【００９１】
また、入力欄１５６には個人情報としてのユーザの住所の郡市区を示す文字“横浜市青葉区”が表示されており、入力欄１５７には個人情報としてのユーザの町村番地を示す文字“あざみ野5-10-20”が表示されており、入力欄１５８−１乃至入力欄１５８−３のそれぞれには、個人情報としてのユーザの電話番号を示す数字“045”、“000”、および“0000”のそれぞれが表示されている。
【００９２】
図５のフローチャートの説明に戻り、個人情報入力画面の各入力欄に個人情報が表示されると、ステップＳ２０において、インターフェース回路７９は、個人情報入力画面の各入力欄に入力された個人情報を通信網４４を介してＥＣサーバ４２に送信し、購入処理は終了する。すなわち、制御部７８は取得されて各入力欄に入力された個人情報をインターフェース回路７９に供給し、インターフェース回路７９は、制御部７８から供給された個人情報をネットワーク端子８１および通信網４４を介してＥＣサーバ４２に送信する。
【００９３】
このようにして、ＥＣ端末装置４１は個人情報入力画面を表示し、個人情報を取得して各入力欄に入力する。そして、ＥＣ端末装置４１は入力された個人情報をＥＣサーバ４２に送信することにより商品を発注する。
【００９４】
このように、携帯端末装置４３を用いて入力された個人情報をＥＣサーバ４２に送信することで、ユーザは携帯端末装置４３を操作するという簡単な操作で所望する商品を購入することができる。
【００９５】
次に、図８のフローチャートを参照して、図５のステップＳ１８の処理に対応する、個人情報受信処理について説明する。
【００９６】
ここで、表示パネル７１に個人情報入力画面が表示されて、ユーザが携帯端末装置４３を用いて個人情報を入力する場合には、ユーザは自分が所有している携帯端末装置４３をＥＣ端末装置４１から所定の距離内の位置に接近させる。そして、携帯端末装置４３がＥＣ端末装置４１に接近されると、携帯端末装置４３とＥＣ端末装置４１とは、例えばNFC方式により通信を開始する。
【００９７】
ステップＳ５１において、制御部７８は携帯端末装置４３が認識されたか否かを判定する。例えば、携帯端末装置４３がＥＣ端末装置４１から所定の距離内の位置に接近されて、ＥＣ端末装置４１と携帯端末装置４３との通信が確立された場合、携帯端末装置４３が認識されたと判定される。
【００９８】
ステップＳ５１において携帯端末装置４３が認識されなかったと判定された場合、個人情報の携帯端末装置４３による入力は行わないのでステップＳ５２に進み、表示パネル７１はソフトウェアキーボードを表示する。すなわち、制御部７８は、ソフトウェアによるキーボード機能を実現させるために、キーボードの画像（以下、ソフトウェアキーボードと称する）を表示させるための画像データなどをフラッシュメモリ７７から取得し、グラフィック生成回路６９およびパネル駆動回路７０を介して表示パネル７１に供給する。そして表示パネル７１は、制御部７８から供給された画像データに基づいてソフトウェアキーボードを表示する。
【００９９】
表示パネル７１にソフトウェアキーボードが表示されると、ユーザはソフトウェアキーボード上のキーが選択されるようにリモートコントローラ４６を操作し、表示パネル７１に表示されている個人情報入力画面の各入力欄に個人情報を入力する。すると、リモートコントローラ４６からＥＣ端末装置４１には、ユーザの操作に応じた赤外線の信号が送信される。受光部８０は、リモートコントローラ４６から送信されてきた、ユーザにより入力された個人情報を示す赤外線の信号を受光して復調する。
【０１００】
ステップＳ５３において、制御部７８は受光部８０からユーザにより入力された個人情報を取得する。すなわち、制御部７８は、受光部８０において受光された赤外線の信号が復調されて得られた制御コードを個人情報として取得する。
【０１０１】
ステップＳ５４において、制御部７８は個人情報の入力が終了したか否かを判定する。例えば、表示パネル７１に図６に示した個人情報入力画面が表示されている場合、ユーザがリモートコントローラ４６を操作して入力欄１５１乃至入力欄１５８のそれぞれに個人情報を入力し、個人情報の入力の終了を指示するボタンなどを選択すると、リモートコントローラ４６からＥＣ端末装置４１には、個人情報の入力の終了を指示する赤外線の信号が送信される。
【０１０２】
この赤外線の信号が受光部８０において受光され、対応する制御コードが制御部７８に供給されると、制御部７８は個人情報の入力が終了したと判定する。なお、個人情報の入力の終了を指示するボタンは、全ての入力欄に個人情報が入力されるまで、選択できないようにしてもよい。
【０１０３】
ステップＳ５４において、個人情報の入力が終了していないと判定された場合、処理はステップＳ５３に戻り、上述した処理が繰り返される。
【０１０４】
これに対して、ステップＳ５４において個人情報の入力が終了したと判定された場合、処理は図５のステップＳ１９に進む。
【０１０５】
また、ステップＳ５１において、携帯端末装置４３が認識されたと判定された場合、ステップＳ５５進み、制御部７８はフラッシュメモリ７７に入力フォームが記録されているか否かを判定する。
【０１０６】
ここで、入力フォームとは、個人情報入力画面の入力欄に入力される個人情報のうちのいくつかまたは全部を携帯端末装置４３において入力するときに表示される入力画面、より詳細にはその入力画面を表示させるためのフォームデータをいう。フラッシュメモリ７７には、この入力フォームか、またはURL（Uniform Resource Locator）方式で記述されている、入力フォームを記録しているＥＣサーバ４２の通信網４４上のアドレスを示す情報（以下、URLと称する）が記録されている。
【０１０７】
ステップＳ５５において、入力フォームが記録されていないと判定された場合、制御部７８は、フラッシュメモリ７７に記録されているURLを取得してリーダライタ部８２に供給する。そして、リーダライタ部８２は、制御部７８から供給されたURLに符号化処理、変調処理などの処理を施してアンテナ８３に供給し、処理はステップＳ５６に進む。
【０１０８】
ステップＳ５６において、アンテナ８３は、リーダライタ部８２から供給されたURLを無線通信により携帯端末装置４３に送信する。
【０１０９】
一方、ステップＳ５５において、入力フォームが記録されていると判定された場合、制御部７８は、フラッシュメモリ７７に記録されている入力フォームを取得してリーダライタ部８２に供給する。そして、リーダライタ部８２は、制御部７８から供給された入力フォームに符号化処理、変調処理などの処理を施してアンテナ８３に供給し、処理はステップＳ５７に進む。
【０１１０】
ステップＳ５７において、アンテナ８３は、リーダライタ部８２から供給された入力フォームを無線通信により携帯端末装置４３に送信する。
【０１１１】
なお、ステップＳ５５において、入力フォームが記録されていないと判定された場合、ＥＣ端末装置４１が、フラッシュメモリ７７に記録されているURLに基づいてＥＣサーバ４２にアクセスし、入力フォームを取得するようにしてもよい。この場合、インターフェース回路７９がＥＣサーバ４２から入力フォームを受信して、制御部７８およびリーダライタ部８２を介してアンテナ８３に供給する。そして、アンテナ８３は供給された入力フォームを携帯端末装置４３に送信する。
【０１１２】
このように、URLまたは入力フォームが携帯端末装置４３に送信されると、携帯端末装置４３はURLまたは入力フォームを受信し、必要に応じてＥＣサーバ４２から入力フォームを取得して入力フォームを表示する。ユーザは、表示された入力フォームを用いて個人情報を入力し、その入力が終了すると、入力された個人情報は、携帯端末装置４３からＥＣ端末装置４１に送信される。
【０１１３】
このとき、携帯端末装置４３がＥＣ端末装置４１を認識した場合、すなわち携帯端末装置４３とＥＣ端末装置４１との通信が確立している場合、携帯端末装置４３は、例えばNFC方式などの方式で、無線通信により個人情報をＥＣ端末装置４１に送信する。これに対して、携帯端末装置４３とＥＣ端末装置４１との通信が確立していない場合、携帯端末装置４３は、移動体通信網４５および通信網４４を介して、個人情報をＥＣ端末装置４１に送信する。
【０１１４】
ステップＳ５６においてURLが送信されるか、ステップＳ５７において入力フォームが送信されると、ステップＳ５８において制御部７８は、携帯端末装置４３から個人情報が直接送信されてきたか否かを判定する。例えば、携帯端末装置４３から個人情報が無線通信により送信されてきた場合、すなわち通信網４４を介さずに個人情報が送信されてきた場合、制御部７８は個人情報が直接送信されてきたと判定する。
【０１１５】
ステップＳ５８において、個人情報が直接送信されてきたと判定された場合、ステップＳ５９に進み、アンテナ８３は携帯端末装置４３から送信されてきた個人情報を受信し、リーダライタ部８２に供給する。リーダライタ部８２は、アンテナ８３において受信された個人情報に、復調処理、復号処理などの処理を施し、処理が施された個人情報を制御部７８に供給する。個人情報が制御部７８に供給されると、処理は図５のステップＳ１９に進む。
【０１１６】
また、ステップＳ５８において、個人情報が直接送信されてきていないと判定された場合、ステップＳ６０に進み、インターフェース回路７９は、通信網４４および移動体通信網４５を介して携帯端末装置４３から送信されてきた個人情報を受信し、制御部７８に供給する。インターフェース回路７９から制御部７８に個人情報が供給されると、処理は図５のステップＳ１９に進む。
【０１１７】
このようにして、ＥＣ端末装置４１は、携帯端末装置４３において入力された個人情報を受信する。
【０１１８】
このように、携帯端末装置４３において入力された個人情報を受信することによって、受信した個人情報を簡単に個人情報入力画面の入力欄に挿入することができる。したがって、ユーザは、リモートコントローラ４６を操作するよりも、より簡単に操作できる携帯端末装置４３を操作して個人情報を入力することができる。
【０１１９】
なお、より詳細には、個人情報入力画面の入力欄に個人情報を入力する場合、いくつかの入力欄には携帯端末装置４３を用いて個人情報を入力し、その他の入力欄にはソフトウェアキーボードを利用して個人情報を入力することができる。
【０１２０】
したがって、ステップＳ５１の処理において、携帯端末装置４３が認識され、携帯端末装置４３により個人情報が入力される場合にも、入力欄のいくつかにはソフトウェアキーボードにより個人情報が入力されることがある。
【０１２１】
そのような場合、ステップＳ５９の処理、またはステップＳ６０の処理の後、ステップＳ５２の処理乃至ステップＳ５４の処理と同様の処理が行われ、個人情報入力画面の入力欄のうち、ソフトウェアキーボードにより個人情報が入力される入力欄に対して、個人情報の入力が行われる。
【０１２２】
また、ＥＣ端末装置４１が入力フォームまたはURLを携帯端末装置４３に送信してから、所定の時間が経過しても携帯端末装置４３から個人情報を受信することができなかった場合、ＥＣ端末装置４１がステップＳ５２の処理乃至ステップＳ５４の処理を行って個人情報を取得するようにしてもよい。
【０１２３】
ところで、ＥＣ端末装置４１に個人情報入力画面が表示され、ユーザが携帯端末装置４３を用いて個人情報を入力する場合、ユーザは携帯端末装置４３をＥＣ端末装置４１に近づけて、携帯端末装置４３とＥＣ端末装置４１との通信を確立させる。
【０１２４】
以下、図９のフローチャートを参照して、携帯端末装置４３がユーザの操作に応じて個人情報をＥＣ端末装置４１に送信する処理である個人情報送信処理について説明する。
【０１２５】
ステップＳ９１において、制御部１２１は、ＥＣ端末装置４１が認識されたか否かを判定する。例えば、携帯端末装置４３がＥＣ端末装置４１から所定の距離内の位置に接近されて、ＥＣ端末装置４１と携帯端末装置４３との通信が確立された場合、ＥＣ端末装置４１が認識されたと判定される。
【０１２６】
ステップＳ９１において、ＥＣ端末装置４１が認識されなかったと判定された場合、ＥＣ端末装置４１から入力フォームを受信することはできないので、個人情報送信処理は終了する。
【０１２７】
これに対して、ステップＳ９１において、ＥＣ端末装置４１が認識されたと判定された場合、ステップＳ９２に進み、アンテナ１２６はＥＣ端末装置４１から送信されてきた入力フォームまたはURLを受信し、リーダライタ部１２５に供給する。
【０１２８】
リーダライタ部１２５は、アンテナ１２６から入力フォームまたはURLが供給されると、入力フォームまたはURLに復調処理、復号処理などの処理を施して制御部１２１に供給する。
【０１２９】
ステップＳ９３において制御部１２１は、URLを受信したか否かを判定する。すなわち、制御部１２１は、リーダライタ部１２５からURLが供給されたか、または入力フォームが供給されたかを判定する。
【０１３０】
ステップＳ９３において、URLを受信したと判定された場合、ステップＳ９４に進み、アンテナ１２９は、移動体通信網４５および通信網４４を介してＥＣサーバ４２から入力フォームを受信する。
【０１３１】
すなわち、ステップＳ９４において、送受信部１２８は制御部１２１の制御のもと、アンテナ１２９に入力フォームの送信を要求する送信要求を供給し、受信されたURLにより特定されるＥＣサーバ４２に送信要求を送信させる。アンテナ１２９からＥＣサーバ４２に送信要求が送信されると、ＥＣサーバ４２から携帯端末装置４３には、その要求に応じて入力フォームが送信されてくるので、アンテナ１２９は、移動体通信網４５および通信網４４を介してＥＣサーバ４２から送信されてきた入力フォームを受信する。また、アンテナ１２９は、受信した入力フォームを送受信部１２８を介して制御部１２１に供給する。
【０１３２】
また、ステップＳ９３において、URLを受信していないと判定された場合、すなわち入力フォームを受信した場合、ステップＳ９５に進み、制御部１２１は、受信した入力フォームは所定の形式の入力フォームであるか否かを判定する。
【０１３３】
例えば、携帯端末装置４３においては、XML（Extensible Markup Language）などの所定の形式で記述された入力フォームしか取り扱うことができないようになされている。受信した入力フォームが携帯端末装置４３において取り扱うことのできる形式の入力フォームである場合、制御部１２１は、所定の形式の入力フォームであると判定する。
【０１３４】
ステップＳ９５において、所定の形式の入力フォームでないと判定された場合、携帯端末装置４３ではその入力フォームを処理することはできないので、個人情報送信処理は終了する。この場合、例えばＥＣ端末装置４１において、ソフトウェアキーボードが表示されて個人情報の入力が行われる。
【０１３５】
また、ステップＳ９５において、所定の形式の入力フォームであると判定された場合、処理はステップＳ９６に進む。
【０１３６】
ステップＳ９５において、所定の形式の入力フォームであると判定されるか、またはステップＳ９４において入力フォームが受信されると、ステップＳ９６において、表示部１２４は入力フォームを表示する。
【０１３７】
すなわち、制御部１２１はリーダライタ部１２５または送受信部１２８から供給された入力フォームを表示部１２４に供給して表示させる。これにより、表示部１２４には、例えば、図１０に示す入力フォームが表示される。
【０１３８】
図１０では、入力フォームには、個人情報入力画面の入力欄に入力される個人情報として、ユーザの電子メールのアドレスを入力する入力欄１８１、およびユーザの氏名を入力する入力欄１８２が設けられている。入力欄１８１および入力欄１８２のそれぞれの図中、上側にはそれぞれの入力欄に入力される個人情報を示す文字“メールアドレス”、および“名前”が表示されている。
【０１３９】
ユーザは携帯端末装置４３を操作して、入力欄１８１および入力欄１８２に個人情報を入力する。ユーザによって入力フォームに入力された個人情報は、上述したように携帯端末装置４３からＥＣ端末装置４１に送信され、個人情報入力画面の入力欄に挿入される。例えば、ＥＣ端末装置４１に図６に示した個人情報入力画面が表示されている場合、入力欄１８１に入力された個人情報は、入力欄１８１に対応する入力欄１５１に挿入される。また、例えば入力欄１８２に入力された個人情報としてのユーザの氏名のうちの姓の部分は、対応する入力欄１５２−１に挿入され、入力欄１８２に入力された個人情報としてのユーザの氏名のうちの名の部分は、対応する入力欄１５２−２に挿入される。
【０１４０】
図９のフローチャートの説明に戻り、入力フォームが表示されると、ステップＳ９７において、携帯端末装置４３は入力処理を行う。なお、入力処理の詳細は後述するが、この入力処理において、携帯端末装置４３はユーザの操作に応じて入力フォームの入力欄に入力される個人情報を取得する。
【０１４１】
ステップＳ９８において、制御部１２１は、入力処理において取得された個人情報を、入力フォームの入力欄に挿入する。すなわち、制御部１２１は、取得した個人情報を表示部１２４に供給し、入力フォームの対応する入力欄に表示させる。
【０１４２】
このように、ユーザが携帯端末装置４３を操作して入力フォームの入力欄に個人情報を入力すると、ユーザは、入力した個人情報をＥＣ端末装置４１に送信させるために携帯端末装置４３をＥＣ端末装置４１に近づけて、携帯端末装置４３とＥＣ端末装置４１との通信を確立させる。
【０１４３】
ステップＳ９９において、制御部１２１は、ＥＣ端末装置４１が認識されたか否かを判定する。すなわち、制御部１２１は携帯端末装置４３とＥＣ端末装置４１との通信が確立したか否かを判定する。
【０１４４】
ステップＳ９９において、ＥＣ端末装置４１が認識されたと判定された場合、制御部１２１は、送信する個人情報をリーダライタ部１２５を介してアンテナ１２６に供給し、処理はステップＳ１００に進む。
【０１４５】
ステップＳ１００において、アンテナ１２６は、制御部１２１から供給された個人情報を無線通信によりＥＣ端末装置４１に送信し、個人情報送信処理は終了する。
【０１４６】
これに対して、ステップＳ９９において、ＥＣ端末装置４１が認識されなかったと判定された場合、携帯端末装置４３とＥＣ端末装置４１との通信が確立されておらず、ＥＣ端末装置４１に個人情報を直接送信することができないので、制御部１２１は、送信する個人情報を送受信部１２８を介してアンテナ１２９に供給し、処理はステップＳ１０１に進む。
【０１４７】
ステップＳ１０１において、アンテナ１２９は、制御部１２１から供給された個人情報を、移動体通信網４５および通信網４４を介してＥＣ端末装置４１に送信し、個人情報送信処理は終了する。
【０１４８】
このようにして、携帯端末装置４３は入力フォームを表示し、入力フォームに入力された個人情報をＥＣ端末装置４１に送信する。
【０１４９】
このように、個人情報をＥＣ端末装置４１に送信することによって、より簡単な操作で個人情報入力画面に個人情報を入力することができる。
【０１５０】
なお、携帯端末装置４３が個人情報をＥＣ端末装置４１に送信すると説明したが、携帯端末装置４３が入力された個人情報を、直接ＥＣサーバ４２に送信するようにしてもよい。この場合、個人情報は携帯端末装置４３から、移動体通信網４５および通信網４４を介してＥＣサーバ４２に送信される。
【０１５１】
次に、図１１のフローチャートを参照して、図９のステップＳ９７の処理に対応する入力処理について説明する。
【０１５２】
表示部１２４に入力フォームが表示されると、ステップＳ１３１において、表示部１２４は選択画面を表示する。ユーザが入力フォームに設けられた入力欄に個人情報を入力する場合、ユーザは、入力欄ごとに個人情報の入力方法を選択することができる。
【０１５３】
例えば、ユーザは、個人情報の入力方法として、ユーザが入力部１２２としてのボタンを操作して直接個人情報を入力する方法、またはアドレス帳に登録されている情報としてデータ蓄積部１２３に記録されているユーザやユーザの友人などの氏名、住所、電話番号などから入力する個人情報を選択する方法のうちのいずれかを選択できる。
【０１５４】
制御部１２１はデータ蓄積部１２３から、個人情報の入力方法を選択するための選択画面を表示させる画像データを取得して表示部１２４に供給する。表示部１２４は、制御部１２１から供給された画像データを基に選択画面を表示する。これにより表示部１２４には、例えば図１２に示す選択画面が表示される。なお、図１２において図１０における場合と対応する部分には同一の符号を付してあり、その説明は省略する。
【０１５５】
図１２では、入力フォームに重畳されて、入力フォームの入力欄１８１に入力する個人情報の入力方法を選択するための選択画面２０１が表示されている。選択画面２０１には、ユーザに入力方法の選択を促す文字“入力方法を指定してください”が表示されており、ユーザが文字“アドレス帳”により示される入力方法、または文字“直接入力”により示される入力方法のいずれかを選択できるようになされている。
【０１５６】
ユーザは入力部１２２を操作し、選択画面２０１に表示されているカーソル２１１を移動させて、表示されている文字“アドレス帳”または文字“直接入力”を選択することにより入力方法を選択する。図１２では、カーソル２１１により文字“アドレス帳”が選択されており、その選択が決定されると文字“アドレス帳”により示される入力方法、すなわちアドレス帳に登録されている情報から個人情報を選択する方法が選択されて、入力欄１８１に個人情報が入力される。
【０１５７】
また、カーソル２１１により、文字“直接入力”が選択された場合、文字“直接入力”により示される入力方法、すなわちユーザが入力部１２２としてのボタンを操作して個人情報を直接入力する方法が選択される。
【０１５８】
図１１のフローチャートの説明に戻り、選択画面が表示されるとステップＳ１３２において制御部１２１は、個人情報の入力方法として直接入力する方法が選択されたか否かを判定する。例えば、ユーザが入力部１２２を操作して、図１２のカーソル２１１により文字“直接入力”を選択し、入力部１２２から制御部１２１にユーザの操作に応じた信号が供給されると、制御部１２１は直接入力する方法が選択されたと判定する。
【０１５９】
ステップＳ１３２において直接入力する方法が選択されたと判定された場合、制御部１２１は、ユーザがこれから個人情報を入力しようとする入力欄に、個人情報を入力するための入力パネルをデータ蓄積部１２３から取得して表示部１２４に供給し、処理はステップＳ１３３に進む。
【０１６０】
ステップＳ１３３において、表示部１２４は制御部１２１から供給された入力パネルを表示する。入力パネルが表示されると、ユーザは入力部１２２としてのボタンを操作して個人情報を入力する。
【０１６１】
ステップＳ１３４において、制御部１２１は入力部１２２からユーザの操作により入力された個人情報を取得する。そしてステップＳ１３５において、制御部１２１は個人情報の入力が終了したか否かを判定し、入力が終了していないと判定された場合、処理はステップＳ１３４に戻り、上述した処理が繰り返される。
【０１６２】
これに対してステップＳ１３５において、入力が終了したと判定された場合、ステップＳ１３９に進む。
【０１６３】
また、ステップＳ１３２において、直接入力する方法が選択されていないと判定された場合、すなわちアドレス帳に登録されている情報から選択する方法が選択された場合、制御部１２１は、データ蓄積部１２３からアドレス帳を表示させるデータを取得して表示部１２４に供給し、ステップＳ１３６に進む。
【０１６４】
ステップＳ１３６において、表示部１２４は、制御部１２１から供給されたデータに基づいてアドレス帳を表示する。アドレス帳が表示されると、ユーザは入力部１２２を操作してアドレス帳に表示されている氏名、住所、電話番号などの情報から、入力フォームの入力欄に入力する個人情報を選択する。
【０１６５】
ステップＳ１３７において、制御部１２１はアドレス帳から入力する個人情報が選択されたか否かを判定し、選択されていないと判定された場合、処理はステップＳ１３７に戻り、選択されたと判定されるまで判定の処理が繰り返される。
【０１６６】
一方、ステップＳ１３７において選択されたと判定された場合、ステップＳ１３８に進み、制御部１２１は、ユーザの操作に応じてデータ蓄積部１２３からユーザにより選択された個人情報を取得する。
【０１６７】
ステップＳ１３５において入力が終了したと判定されるか、ステップＳ１３８において個人情報が取得されると、ステップＳ１３９において、制御部１２１は、全ての入力欄に対して個人情報が入力されたか否かを判定し、個人情報が入力されていないと判定された場合、処理はステップＳ１３１に戻り、上述した処理が繰り返される。
【０１６８】
これに対して、ステップＳ１３９において、全ての入力欄に対して個人情報が入力されたと判定された場合、入力フォームの全ての入力欄に個人情報が入力されたので、処理は図９のステップＳ９８に進む。
【０１６９】
このようにして、携帯端末装置４３は、入力フォームの入力欄ごとに選択された入力方法で入力された個人情報を取得する。
【０１７０】
このように、入力フォームの入力欄ごとに選択された入力方法で入力された個人情報を取得することによって、ユーザは、入力欄ごとに所望する入力方法を選択することができ、より簡単に個人情報を入力することができる。
【０１７１】
例えば、個人情報としての氏名や電話番号などを入力する場合には、氏名や電話番号は文字数も少なく比較的簡単に入力することができるので、ユーザは、自分が記憶している氏名や電話番号を直接入力することで、より簡単かつ迅速に入力することができる。また、例えば、個人情報としての住所などを入力する場合には、住所は電話番号などと比べて文字数が多く入力が面倒であるので、ユーザは、アドレス帳として登録されている住所を選択することで、個人情報としての住所をより簡単かつ迅速に入力することができる。
【０１７２】
以上のように、携帯端末装置４３において入力された個人情報をＥＣ端末装置４１において受信し、ＥＣ端末装置４１に表示されている個人情報入力画面の入力欄に入力するようにしたので、より簡単な操作でユーザが個人情報の入力を行うことができる。
【０１７３】
なお、以上においては、ＥＣ端末装置４１において、電子商取引に必要な個人情報を入力する場合に、携帯端末装置４３を用いる例について説明したが、個人情報の入力に限らず、例えばハードディスクレコーダにおける録画時のキーワードの入力など、ＣＥ（Consumer Electronics）機器における所定の情報の入力などに用いるようにしてもよい。そのような場合、ＣＥ機器が携帯端末装置４３において入力された情報を受信する。
【０１７４】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、ＥＣ端末装置４１に相当する汎用のパーソナルコンピュータなどに、プログラム記録媒体からインストールされる。
【０１７５】
図１３は、上述した一連の処理をプログラムにより実行するパーソナルコンピュータの構成の例を示すブロック図である。パーソナルコンピュータ３０１のCPU（Central Processing Unit）３１１は、ROM（Read Only Memory）３１２、または記録部３１８に記録されているプログラムに従って各種の処理を実行する。RAM（Random Access Memory）３１３には、CPU３１１が実行するプログラムやデータなどが適宜記憶される。これらのCPU３１１、ROM３１２、およびRAM３１３は、バス３１４により相互に接続されている。
【０１７６】
CPU３１１にはまた、バス３１４を介して入出力インターフェース３１５が接続されている。入出力インターフェース３１５には、キーボード、マウス、マイクロホンなどよりなる入力部３１６、ディスプレイ、スピーカなどよりなる出力部３１７が接続されている。CPU３１１は、入力部３１６から入力される指令に対応して各種の処理を実行する。そして、CPU３１１は、処理の結果を出力部３１７に出力する。
【０１７７】
入出力インターフェース３１５に接続されている記録部３１８は、例えばハードディスクからなり、CPU３１１が実行するプログラムや各種のデータを記録する。通信部３１９は、インターネットやローカルエリアネットワークなどのネットワークを介して外部の装置と通信する。
【０１７８】
また、通信部３１９を介してプログラムを取得し、記録部３１８に記録してもよい。
【０１７９】
入出力インターフェース３１５に接続されているドライブ３２０は、磁気ディスク、光ディスク、光磁気ディスク、或いは半導体メモリなどのリムーバブルメディア３３１が装着されたとき、それらを駆動し、そこに記録されているプログラムやデータなどを取得する。取得されたプログラムやデータは、必要に応じて記録部３１８に転送され、記録される。
【０１８０】
コンピュータにインストールされ、コンピュータによって実行可能な状態とされるプログラムを格納するプログラム記録媒体は、図１３に示すように、磁気ディスク（フレキシブルディスクを含む）、光ディスク（CD-ROM(Compact Disc-Read Only Memory),DVD(Digital Versatile Disc)を含む）、光磁気ディスクを含む）、もしくは半導体メモリなどよりなるパッケージメディアであるリムーバブルメディア３３１、または、プログラムが一時的もしくは永続的に格納されるROM３１２や、記録部３１８を構成するハードディスクなどにより構成される。プログラム記録媒体へのプログラムの格納は、必要に応じてルータ、モデムなどのインターフェースである通信部３１９を介して、ローカルエリアネットワーク、インターネット、デジタル衛星放送といった、有線または無線の通信媒体を利用して行われる。
【０１８１】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１８２】
また、本明細書において、システムとは、複数の装置により構成される装置全体を表すものである。
【０１８３】
なお、本発明の実施の形態は、上述した実施の形態に限定されるものではなく、本発明の要旨を逸脱しない範囲において種々の変更が可能である。
【図面の簡単な説明】
【０１８４】
【図１】従来の電子商取引システムを示す図である。
【図２】本発明を適用した電子商取引システムを示す図である。
【図３】ＥＣ端末装置の構成例を示すブロック図である。
【図４】携帯端末装置の構成例を示すブロック図である。
【図５】購入処理を説明するフローチャートである。
【図６】個人情報入力画面の表示例を示す図である。
【図７】個人情報入力画面の表示例を示す図である。
【図８】個人情報受信処理を説明するフローチャートである。
【図９】個人情報送信処理を説明するフローチャートである。
【図１０】入力フォームの表示例を示す図である。
【図１１】入力処理を説明するフローチャートである。
【図１２】選択画面の表示例を示す図である。
【図１３】パーソナルコンピュータの構成例を示すブロック図である。
【符号の説明】
【０１８５】
４１  ＥＣ端末装置，  ４２  ＥＣサーバ，  ４３  携帯端末装置，  ７１  表示パネル，  ７７  フラッシュメモリ，  ７８  制御部，  ７９  インターフェース回路，  ８２  リーダライタ部，  ８３  アンテナ，  １２１  制御部，  １２２  入力部，  １２３  データ蓄積部，  １２４  表示部，  １２５  リーダライタ部，  １２６  アンテナ，  １２８  送受信部，  １２９  アンテナ
【図１】
2007311949.tif 000003
【図２】
2007311949.tif 000004
【図３】
2007311949.tif 000005
【図４】
2007311949.tif 000006
【図５】
2007311949.tif 000007
【図６】
2007311949.tif 000008
【図７】
2007311949.tif 000009
【図８】
2007311949.tif 000010
【図９】
2007311949.tif 000011
【図１０】
2007311949.tif 000012
【図１１】
2007311949.tif 000013
【図１２】
2007311949.tif 000014
【図１３】
2007311949.tif 000015